(57)【要約】【課題】  携帯用小型機器に用いるマイクロスピーカーや、音響または振動を発生する多機能変換器などの電気−音響−機械変換器にて、衝撃時に磁気回路部が過大変位するのを制限するプロテクタは、形状がほぼ皿状であるが、金属製では製作にプレス機や順送型を要して製造コストがかさみ、プラスチックの成型品では射出成型機や金型を要する上、肉厚が増して寸法が増えるなどの問題があるのを解決する。【解決手段】  プロテクタをプラスチックフィルムで製作する。製作は真空あるいは圧力空気下で、金型を用いて熱成形により行う。材料としては、いわゆる複合材料をも含む樹脂系材料のフィルム材から任意に選ぶことができる。【選択図】      図１
2008109304.tif 000002
【特許請求の範囲】
【請求項１】
複合材料をも含む樹脂系材料のフィルム材で形成した、形状がほぼ皿状のプロテクタを備えた電気−音響−機械変換器。
【発明の詳細な説明】
【技術分野】
【０００１】
本発明は、携帯電話等の移動体通信機に組み込まれる小型スピーカーや、さらには、電気信号により音響だけでなく振動を発生して、使用者に着信を知らせる多機能変換器などの電気−音響−機械変換器に関するものである。
【背景技術】
【０００２】
携帯電話等の小型携帯機器は、一般に、使用者に着信を知らせるのに、ブザー音やメロディ音を発することと、音は出さずに振動することを切り替えて使えるよう構成されており、以前は小型スピーカーなど音響発生用の発音体と、偏心重りを小型モータで回転させて振動を発生する振動体の両方を内蔵する構造であったりしたが、近年、１個の変換器で音響と振動の両方を発生するものが用いられるようになった。この種の変換器には、ハンズフリー状態で会話する際の音声出力用にも使用できる多機能なものもある。
【０００３】
このような多機能変換器の例は、本願の出願人らが先に出願した下記の特許文献１などに見られる。
【特許文献１】特開２００６−２１７２８７号公報
【０００４】
同文献の図１、図２を、本願発明でも図１、図２として引用する。図１は多機能変換器の一例で、（Ａ）は断面図、（Ｂ）は下面図であり、（Ａ）は（Ｂ）のＡ−Ａ断面を示す。プラスチックのフレーム１３の上面にプロテクタＡ（１１）、下面にプロテクタＢ（１２）を固定してケースを構成し、部品を収容している。図（Ｂ）はプロテクタＢ（１２）を取り外して描いてある。多機能変換器としての基本構造は、重り６を充填したポールピース３の鍔部に円環状の磁石４を固定し、磁石４の上面にトッププレート５を固定して磁気回路部を構成し、その上方に振動膜９を配置して外周をフレーム１３に固定してあり、振動膜９の下面に固定したコイル１０を、ポールピース３の円柱部の外周とトッププレート５の内周で作る磁気ギャップに位置させている。
【０００５】
ポールピース３、磁石４、トッププレート５からなる磁気回路部の上面と下面にそれぞれ支持ばねＡ（７）と支持ばねＢ（１４）を固定して、磁気回路部をケースに対し弾性的に支持している。両支持ばねは、図１（Ｂ）に見るように、内周と外周の円環部を複数本の腕部でほぼ§字状に連結した形状で、内周の円環部を点溶接等で、トッププレート５の上面と、ポールピース３の鍔部の下面にそれぞれ接合してある。
【０００６】
ケースは、図１（Ａ）に見るように、単体のフレーム１３の上下両面にプロテクタＡ（１１）とプロテクタＢ（１２）を固定して構成してある。ポールピース３、磁石４、トッププレート５等からなる磁気回路部は、ケースに対し２枚の支持ばねで両面懸架されて、振動部をも構成するが、上側の支持ばねＡ（７）はインサート成形により外周をフレームＡ（１３）に埋設し、下側の支持ばねＢ（１４）は、外周をフレーム１３の下端外周に設けた丈の低い短円筒部１３ａに嵌めて、内側の段部に当て、接着剤でフレーム１３に接合する。この時、金属の固定リング１５を設けて支持ばねＢ（１４）を押さえ、支持ばねＢ（１４）の段部への落ち着きと固定を確実にしている。図１（Ｂ）では、支持ばねＢ（１４）の外周の円環部は固定リング１５の下になっていて見えないが、固定リング１５と同じような形状である。
【０００７】
図２は多機能変換器の別の例で、図の左側を断面図にして内部の部品構成を示してある。磁気回路の構成やその懸架方法は、先の図１の例と同様であるが、先の例ではケースを単一のフレーム１３で構成していたのに対し、図２の例では、プラスチックのフレームＡ（１）とフレームＢ（２）を接合してケースを形成し、上面にプロテクタＡ（１１）、下面にプロテクタＢ（１２）を固定して部品を収容している。
【０００８】
このような多機能変換器のコイル１０に交流の駆動信号を供給すると、コイル１０と磁気回路部の間に交番的な電磁力が発生する。駆動信号の周波数がある程度高くて可聴周波数領域であると、コイル１０を固定してある振動膜９が振動して、ブザー音や音声、メロディー等を発生するが、支持ばねＡ、Ｂ（７、８、１４）で支持された磁気回路部は、固有振動数が低いためほとんど振動しない。逆に、駆動信号が可聴周波数より低い機械振動領域の周波数であると、振動膜９の振動は微弱になって音が出なくなり、代わりに磁気回路部からなる振動部が振動を始め、振動がフレームを経て変換器を組み込んだ機器に伝わって、音響でなく振動で使用者に着信を知らせる。
【発明の開示】
【発明が解決しようとする課題】
【０００９】
これら二つの多機能変換器の例では、いずれもケースの両面をプロテクタＡ（１１）とプロテクタＢ（1２）で覆っている。これらは、多機能変換器を搭載した小型機器が落下した時等に、衝撃で磁気回路部が過大に変位するのを制限して、部品の変形や破損を防ぐストッパーとして働く。プロテクタは、通常、アルミニウム等の金属製であり、図１ではケースの外側にかぶせ、図２ではケースの内周の段差部に乗せる点が異なるが、いずれも形状円板の外周に立ち上がった縁部のあるほぼ皿状で、肉厚が０．１５ｍｍほどであり、放音や空気の流通用の穴を設けてある。しかし、金属製のプロテクタでは、電話機に搭載した際に電磁波の影響から高周波ノイズを発生する恐れがあり、その対策として、金属でなくプラスチックの成型品のプロテクタを用いることがある。その場合は肉厚が増し、最低０．３ｍｍは必要である。
【００１０】
プロテクタは金属製のものも、プラスチックの成型品のものも、製造が必ずしも簡単でない。すなわち、金属製の場合は板材に絞り加工、抜き加工を行うためにプレス機や順送型が必要であり、プラスチック成型品の場合は射出成形機や金型が必要で、これらは高価な機械や工具であり、プロテクタの製造コストを押し上げる。本願発明はこの問題に着目し、十分な機能を有するとともに製作の容易なプロテクタを備えた、電気−音響−機械変換器を提供するものである。
【課題を解決するための手段】
【００１１】
本発明では、電気−音響−機械変換器用のプロテクタを、従来のように金属の板材のプレス加工品やプラスチックの成型品でなく、プラスチックフィルムの成形品とする。
【発明の効果】
【００１２】
本発明の効果は次のようなものである。
１．プロテクタの材質がプラスチックであるため、高周波ノイズの発生が防止、軽減される。
２．プラスチックの成型品の場合は肉厚を０．３ｍｍ以下にできず、製品の小型化に不利であったが、プラスチックフィルムを成形したプロテクタは、厚さを金属並の０．１５ｍｍ程度にできて、寸法が大きくならない。
３．金属製品のようなプレス加工機や、プラスチック成型品のような射出成型機が不要であり、廉価に製造できる。
【発明を実施するための最良の形態】
【００１３】
本願発明の電気−音響−機械変換器用のプロテクタは、プラスチックフィルムを素材とし、素材または金型を加熱して素材を金型に当て、周囲を真空に引くか、あるいは逆に空気圧を加えて熱成形する。プラスチックフィルムであるから成形後の外周の切断は容易である。材料としては、例えばポリカーボネートが好適であるが、ガラス繊維入り等のいわゆる複合材料でもよく、特定の材料に限定するものでない。複合材料をも含む樹脂系材料から選択して用いればよい。
【００１４】
以上説明したように、従来金属製であった電気−音響−機械変換器用のプロテクタを、樹脂系材料のフィルム材で製作することにより、金属製のものとほぼ同等の機能が得られるとともに、製品寸法が増加することがなく、製作費が低減する利点がある。
【図面の簡単な説明】
【００１５】
【図１】多機能変換器の一例で、（Ａ）は断面図、（Ｂ）は下面図であり、（Ａ）は（Ｂ）のＡ−Ａ断面である。
【図２】別の多機能変換器の側面図で、左半分を断面で示す。
【符号の説明】
【００１６】
１  フレームＡ
２  フレームＢ
３  ポールピース
４  磁石
５  トッププレート
７  支持ばねＡ
８  支持ばねＢ
９  振動膜
１０  コイル
１１  プロテクタＡ
１２  プロテクタＢ
１３  フレーム
１４  支持ばねＢ
【図１】
2008109304.tif 000003
【図２】
2008109304.tif 000004